【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
患者に胸部圧迫を行うシステムであって、該システムは圧迫ベルト及びベルトドライブプラットフォームで構成され、該ベルトドライブプラットフォームはハウジング、ハウジング中に配置されたモータ、及びモータに操作可能に接続されたドライブスプールを備えており、
前記ベルトは、患者の周りに配置された際に患者の上下方向の身長に対応する幅を有するとともに、患者の周りに配置された際に患者の中央側方周囲に対応する長さも有し、
前記ベルトは、引きストラップ、前記引きストラップの第１終端に取り付けられた第１荷重分配部分、及び前記引きストラップの第２終端に取り付けられた第２荷重分配部分を有し、
前記第１荷重分配部分及び前記第２荷重分配部分は前記引きストラップより幅広く、
前記圧迫ベルトは前記ベルトドライブプラットフォームに解放自在に取り付けられた圧迫ベルトカートリッジに操作可能に接続され、
前記圧迫ベルトには更に前記圧迫ベルトを解放自在にドライブスプールに取り付ける手段が設けられていることを特徴とするシステム。
【請求項２】
前記ベルトは更に前記第１荷重分配部分及び前記引きストラップに取り付けられた前記第１変遷部分と、前記第２荷重分配部分及び前記引きストラップに取り付けられた第２変遷部分とを有し、前記第２変遷部分は前記第１変遷部分に対向していることを特徴とする請求項１に記載のシステム。
【請求項３】
前記第１及び第２変遷部分は台形形状を有することを特徴とする請求項２に記載のシステム。
【請求項４】
前記ベルトカートリッジは更に、前記第１変遷部分に取り付けられた第１強化板と、前記第２変遷部分に取り付けられた第２強化板とを有することを特徴とする請求項２に記載のシステム。
【請求項５】
前記ベルトカートリッジは更に前記第１荷重分配部分に取り付けられた1つのアイレットと、前記第２荷重分配部分に取り付けられた1つのペグを有し、前記アイレットは前記ペグを受け入れるためのサイズと寸法があり、前記第１及び第２荷重分配部分が患者の胸部の上に固定された際に前記ペグが前記アイレットに挿入されることを特徴とする請求項１に記載のシステム。
【請求項６】
前記ペグが前記アイレットに挿入されているかどうかを判定する手段を更に備えることを特徴とする請求項５に記載のシステム。
【請求項７】
前記ベルトは樹脂で固定された単一方向性繊維を含む少なくとも1つの層を有することを特徴とする請求項１に記載のシステム。
【請求項８】
前記ベルトは複数の層からなり、前記各層は樹脂で固定された複数のファイバを含み、
前記層に含まれる全てのファイバは一方向に向いており、
１つの層のファイバの方位は次の層のファイバの方位とは異なっていることを特徴とする請求項１に記載のシステム。
【請求項９】
1人の患者に対して胸部圧迫を実行する方法であって、
胸部圧迫を実行するシステムを準備する工程を含み、前記システムは圧迫ベルト及びベルトドライブプラットフォームを備え、前記ベルトドライブプラットフォームがハウジング、前記ハウジング中に配置されたモータ、及び前記モータに操作可能に接続されたドライブスプールを有し、
前記システムは圧迫ベルトカートリッジを更に備え、前記圧迫ベルトカートリッジはベルトを含み、前記ベルトは、患者の周りに配置された際に患者の上下方向の身長に対応する幅を有するとともに患者の周りに配置された際に患者の中央側方周囲に対応する長さを有し、かつ、引きストラップ、前記引きストラップの第１終端に取り付けられた第１荷重分配部分及び前記引きストラップの第２終端に取り付けられた第２荷重分配部分を有し、前記第１荷重分配部分と前記第２荷重分配部分は前記引きストラップより幅広く、前記圧迫ベルトカートリッジは更に、前記圧迫ベルトカートリッジを前記ベルトドライブプラットフォームに解放自在に装着する手段と、前記ベルトを前記ドライブスプールに解放自在に装着する手段とを含み、
前記方法は更に、
前記圧迫ベルトを前記ドライブスプールに解放自在に装着する工程と、
前記圧迫ベルトカートリッジを前記ベルトドライブプラットフォームに解放自在に装着する工程と、
前記圧迫ベルトを患者の胸部の周りに配置する工程と、
前記ベルトの前記各荷重分配部分を相互に装着し、前記各荷重分配部分を患者の胸部の上に配置する工程と、
患者の胸部を圧迫するために前記ベルトを締める工程と、を含むことを特徴とする患者に胸部圧迫を行う方法。
【請求項１０】
1人の患者に胸部圧迫を行うシステムであって、
ハウジングと、前記ハウジングに操作可能に取り付けられたドライブスプールと、前記ドライブスプールを回転させる手段であって前記ハウジング中に配置されて前記ドライブスプールの操作可能に取り付けられる手段とを含むベルトドライブプラットフォーム、及び
患者の胸部を圧迫するのに適したベルトと前記ベルトに装着されたスプラインとを有する圧迫ベルトカートリッジを備え、
前記スプラインは着脱自在にドライブスプールに取り付けられ、
前記ドライブスプールの回転が前記ベルトを締め付けて胸部を圧迫することを特徴とするシステム。
【請求項１１】
前記ドライブスプールに配置された特定形状のスロットを更に備え、前記スプラインは前記スロットの形状に整合する特定の形状を有し、前記スプラインは前記スロットに嵌合することを特徴とする請求項１０に記載のシステム。
【請求項１２】
前記スプラインが前記スロットに挿入されているかどうかを識別する手段を更に備え、前記識別手段は前記スロットに操作可能に接続されていることを特徴とする請求項１１に記載のシステム。
【請求項１３】
前記ハウジングと前記ドライブスプールとに操作可能に取り付けられたガイド板を更に備え、前記ガイド板は前記ガイド板中に配置されたスロットを有し、前記スロットは、前記スプラインの一部分が前記ドライブスプールスロットを通すような大きさと寸法に形成されていることを特徴とする請求項１０に記載のシステム。
【請求項１４】
前記ハウジングと前記ドライブスプールとに操作可能に取り付けられたガイド板を更に備え、前記ガイド板はガイド板中に配置されたスロットを有し、前記スロットは、前記スプラインの一部分が前記ドライブスプールスロットを通るような大きさと寸法に形成されていることを特徴とする請求項１１に記載のシステム。
【請求項１５】
前記ドライブスプールはユーザにより回転可能であり、前記ガイト板スロットと前記ドライブスプールスロットとが揃った際に前記スプラインを前記ドライブスプールスロットに挿入可能なことを特徴とする請求項１４に記載のシステム。
【請求項１６】
前記ガイド板はユーザにより回転可能で、前記ガイト板スロットと前記ドライブスプールスロットとが揃った際に前記スプラインを前記ドライブスプールスロットに挿入可能なことを特徴とする請求項１４に記載のシステム。
【請求項１７】
操作可能にハウジングに取り付けられたガイド板を更に備え、前記ガイド板は前記ガイド板が動かされない限り前記スプラインを前記ドライブスプールスロットに挿入したり、前記ドライブスプールスロットから外したりできないように前記ガイド板が前記ドライブスプールに対して配置されており、
前記スプラインを前記ドライブスプールスロットに挿入したり、前記ドライブスプールスロットから外したりすることを防止するために前記ガイド板が前記ドライブスプールに対して配置されるように前記ガイド板に付勢力を与える手段を更に備え、
ユーザは前記スプラインを前記スロットに挿入したり前記スプラインを前記スロットから外すために前記ガイド板を十分に手動で動かせることを特徴とする請求項１１に記載のシステム。
【請求項１８】
1人の患者に胸部圧迫を行うシステムであって、
ハウジングと、
前記ハウジングに操作可能に取り付けられたドライブスプールと、
前記ハウジング中に配置され、前記ドライブスプールに操作可能に取り付けられた、前記ドライブスプールを回転させる手段と、
患者の胸部を圧迫するのに適したベルト、及び前記ベルトに緩く合わさったライナーソックスを含み、前記ベルトが前記ドライブスプールに取り付けられるようになっていて前記ライナーソックス中で摺動できるように操作可能である、圧迫ベルトと、を備えることを特徴とするシステム。
【請求項１９】
1人の患者に胸部圧迫を行うシステムであって、
ハウジングと、
前記ハウジングに操作可能に取り付けられたドライブスプールと、
前記ハウジング中に配置されて前記ドライブスプールに操作可能に取り付けられる、前記ドライブスプールを回転させる手段と、
圧迫ベルトカートリッジとを備え、
前記圧迫ベルトカートリッジは、患者の胸部を圧迫するのに適したベルトと、前記ベルトに取り付けられる分離可能リンクとを有し、前記分離可能リンクは、特定の力が加わると壊れるような大きさ及びサイズに形成されており、かつ、前記分離可能リンクが壊れると前記ベルトが分離するように前記ベルトに装着されており、
前記ベルトは前記ドライブスプールに取り付けられるようになっていることを特徴とするシステム。